(57)【特許請求の範囲】
【請求項１】
第１領域と第２領域とを含む対象画像に基づく画像光を出射する表示部であって、前記第１領域に対応する第１画素と、前記第２領域に対応する第２画素と、を含む、前記表示部と、
第１反射面と、前記第１反射面に沿った第２反射面と、を含み前記画像光を反射する反射部と、
前記画像光の光路上において前記反射部と前記表示部との間に設けられた光学部と、
を備え、
前記画像光は、前記第１画素から出射される第１光と、前記第２画素から出射される第２光と、を含み、
前記第１光及び前記第２光は、前記第１反射面に入射し、
前記第１反射面は、前記第１光の一部を反射し前記第１光の別の一部を透過させ、
前記第２反射面は、前記第１反射面を透過した前記別の一部を反射し、
前記第１光の前記第１反射面に対する入射角は、前記第２光の前記第１反射面に対する入射角よりも大きく、
前記第２領域の明るさが前記第１領域の明るさと等しいときに、前記表示部と前記反射部との間において前記第２光は、前記第１光よりも明るく、
前記反射部は、複数の反射面を含み、
前記複数の反射面は、前記第１反射面と、前記第２反射面と、第３反射面と、を含み、
前記第２反射面は、前記第３反射面と前記表示部との間に設けられ、
前記第１反射面は、前記第２反射面と前記表示部との間に設けられ、
前記複数の反射面のうちで前記第２反射面に最も近い反射面は、前記第１反射面であり、
前記複数の反射面のうちで前記第３反射面に最も近い反射面は、前記第２反射面である表示装置。
【請求項２】
第１領域と第２領域とを含む対象画像に基づく画像光を出射する表示部であって、前記第１領域に対応する第１画素と、前記第２領域に対応する第２画素と、を含む、前記表示部と、
第１反射面と、前記第１反射面に沿った第２反射面と、を含み前記画像光を反射する反射部と、
前記画像光の光路上において前記反射部と前記表示部との間に設けられた光学部と、
を備え、
前記画像光は、前記第１画素から出射される第１光と、前記第２画素から出射される第２光と、を含み、
前記第１光及び前記第２光は、前記第１反射面に入射し、
前記第１反射面は、前記第１光の一部を反射し前記第１光の別の一部を透過させ、
前記第２反射面は、前記第１反射面を透過した前記別の一部を反射し、
前記第１光の前記第１反射面に対する入射角は、前記第２光の前記第１反射面に対する入射角よりも大きく、
前記第２領域の明るさが前記第１領域の明るさと等しいときに、前記表示部と前記反射部との間において前記第２光は、前記第１光よりも明るく、
前記反射部は、前記画像光を透過させ、前記第１反射面を保持する保持部をさらに含み、
前記保持部は、前記第１反射面と前記第２反射面とを結ぶ第１方向と交差する第２方向において互いに離間した第１表面と第２表面とを有し、
前記第１反射面は、前記第１表面と前記第２表面との間に設けられ、
前記光学部は、前記画像光を前記保持部に入射させる光学素子を含み、
前記第２方向に沿った前記光学素子の幅は、前記保持部の前記第２方向に沿った幅よりも広い表示装置。
【請求項３】
第１領域と第２領域とを含む対象画像に基づく画像光を出射する表示部であって、前記第１領域に対応する第１画素と、前記第２領域に対応する第２画素と、を含む、前記表示部と、
第１反射面と、前記第１反射面に沿った第２反射面と、を含み前記画像光を反射する反射部と、
前記画像光の光路上において前記反射部と前記表示部との間に設けられた光学部と、
を備え、
前記画像光は、前記第１画素から出射される第１光と、前記第２画素から出射される第２光と、を含み、
前記第１光及び前記第２光は、前記第１反射面に入射し、
前記第１反射面は、前記第１光の一部を反射し前記第１光の別の一部を透過させ、
前記第２反射面は、前記第１反射面を透過した前記別の一部を反射し、
前記第１光の前記第１反射面に対する入射角は、前記第２光の前記第１反射面に対する入射角よりも大きく、
前記第２領域の明るさが前記第１領域の明るさと等しいときに、前記表示部と前記反射部との間において前記第２光は、前記第１光よりも明るく、
前記反射部は、前記画像光を透過させ、前記第１反射面を保持する保持部をさらに含み、
前記保持部は、前記第１反射面と前記第２反射面とを結ぶ第１方向と交差する第２方向において互いに離間した第１表面と第２表面とを有し、
前記第１反射面は、前記第１表面と前記第２表面との間に設けられ、
前記光学部は、第１部分と、前記第１部分よりも厚い第２部分と、を含む偏心レンズを含み、
前記第１光は、前記第１部分を通過して前記保持部に入射し、前記第２表面において前記保持部から出射され、
前記第２光は、前記第２部分を通過して前記保持部に入射し、前記第２表面において前記保持部から出射され、
前記第１反射面と前記第２表面との間の距離は、前記第１反射面と前記第１表面との間の距離よりも短い表示装置。
【請求項４】
第１領域と第２領域とを含む対象画像に基づく画像光を出射する表示部であって、前記第１領域に対応する第１画素と、前記第２領域に対応する第２画素と、を含む、前記表示部と、
第１反射面と、前記第１反射面に沿った第２反射面と、を含み前記画像光を反射する反射部と、
前記画像光の光路上において前記反射部と前記表示部との間に設けられた光学部と、
を備え、
前記画像光は、前記第１画素から出射される第１光と、前記第２画素から出射される第２光と、を含み、
前記第１光及び前記第２光は、前記第１反射面に入射し、
前記第１反射面は、前記第１光の一部を反射し前記第１光の別の一部を透過させ、
前記第２反射面は、前記第１反射面を透過した前記別の一部を反射し、
前記第１光の前記第１反射面に対する入射角は、前記第２光の前記第１反射面に対する入射角よりも大きく、
前記第２領域の明るさが前記第１領域の明るさと等しいときに、前記表示部と前記反射部との間において前記第２光は、前記第１光よりも明るく、
前記第１光の前記第２反射面に対する前記入射角は、前記第１光の前記第１反射面に対する前記入射角よりも、大きい表示装置。
【請求項５】
第１領域と第２領域とを含む対象画像に基づく画像光を出射する表示部であって、前記第１領域に対応する第１画素と、前記第２領域に対応する第２画素と、を含む、前記表示部と、
第１反射面と、前記第１反射面に沿った第２反射面と、を含み前記画像光を反射する反射部と、
前記画像光の光路上において前記反射部と前記表示部との間に設けられた光学部と、
を備え、
前記画像光は、前記第１画素から出射される第１光と、前記第２画素から出射される第２光と、を含み、
前記第１光及び前記第２光は、前記第１反射面に入射し、
前記第１反射面は、前記第１光の一部を反射し前記第１光の別の一部を透過させ、
前記第２反射面は、前記第１反射面を透過した前記別の一部を反射し、
前記第１光の前記第１反射面に対する入射角は、前記第２光の前記第１反射面に対する入射角よりも大きく、
前記第２領域の明るさが前記第１領域の明るさと等しいときに、前記表示部と前記反射部との間において前記第２光は、前記第１光よりも明るく、
前記反射部は、第４反射面をさらに含み、
前記第２反射面で反射された前記第１光の前記別の一部は、前記第４反射面を透過する表示装置。
【請求項６】
第１領域と第２領域とを含む対象画像に基づく画像光を出射する表示部であって、前記第１領域に対応する第１画素と、前記第２領域に対応する第２画素と、を含む、前記表示部と、
第１反射面と、前記第１反射面に沿った第２反射面と、を含み前記画像光を反射する反射部と、
前記画像光の光路上において前記反射部と前記表示部との間に設けられた光学部と、
を備え、
前記画像光は、前記第１画素から出射される第１光と、前記第２画素から出射される第２光と、を含み、
前記第１光及び前記第２光は、前記第１反射面に入射し、
前記第１反射面は、前記第１光の一部を反射し前記第１光の別の一部を透過させ、
前記第２反射面は、前記第１反射面を透過した前記別の一部を反射し、
前記第１光の前記第１反射面に対する入射角は、前記第２光の前記第１反射面に対する入射角よりも大きく、
前記第２領域の明るさが前記第１領域の明るさと等しいときに、前記表示部と前記反射部との間において前記第２光は、前記第１光よりも明るく、
前記光学部は、第１端を含み前記第１光が通過する第１部分と、第２端を含み前記第２光が通過する第２部分と、を含むレンズを含み、
前記レンズの光軸に対して垂直な方向に沿った前記第２端と前記第１反射面との間の距離は、前記垂直な方向に沿った前記第２端と前記第２反射面との間の距離よりも長い表示装置。
【請求項７】
第１領域と第２領域とを含む対象画像に基づく画像光を出射する表示部であって、前記第１領域に対応する第１画素と、前記第２領域に対応する第２画素と、を含む、前記表示部と、
第１反射面と、前記第１反射面に沿った第２反射面と、を含み前記画像光を反射する反射部と、
前記画像光の光路上において前記反射部と前記表示部との間に設けられた光学部と、
を備え、
前記画像光は、前記第１画素から出射される第１光と、前記第２画素から出射される第２光と、を含み、
前記第１光及び前記第２光は、前記第１反射面に入射し、
前記第１反射面は、前記第１光の一部を反射し前記第１光の別の一部を透過させ、
前記第２反射面は、前記第１反射面を透過した前記別の一部を反射し、
前記第１光の前記第１反射面に対する入射角は、前記第２光の前記第１反射面に対する入射角よりも大きく、
前記第２領域の明るさが前記第１領域の明るさと等しいときに、前記表示部と前記反射部との間において前記第２光は、前記第１光よりも明るく、
前記第１反射面は、第１延在方向に沿う第１辺と、前記第１延在方向に対して交差する第２延在方向に沿う第２辺と、を含み、
前記第１延在方向は、前記第１反射面の中心と前記第２反射面の中心とを結ぶ方向に対して傾斜し、
前記第２延在方向は、前記結ぶ方向に対して傾斜する、表示装置。
【請求項８】
第１領域と第２領域とを含む対象画像に基づく画像光を出射する表示部であって、前記第１領域に対応する第１画素と、前記第２領域に対応する第２画素と、を含む、前記表示部と、
第１反射面と、前記第１反射面に沿った第２反射面と、を含み前記画像光を反射する反射部と、
前記画像光の光路上において前記反射部と前記表示部との間に設けられた光学部と、
を備え、
前記画像光は、前記第１画素から出射される第１光と、前記第２画素から出射される第２光と、を含み、
前記第１光及び前記第２光は、前記第１反射面に入射し、
前記第１反射面は、前記第１光の一部を反射し前記第１光の別の一部を透過させ、
前記第２反射面は、前記第１反射面を透過した前記別の一部を反射し、
前記第１光の前記第１反射面に対する入射角は、前記第２光の前記第１反射面に対する入射角よりも大きく、
前記第２領域の明るさが前記第１領域の明るさと等しいときに、前記表示部と前記反射部との間において前記第２光は、前記第１光よりも明るく、
前記反射部は、
前記第１光の少なくとも一部の光路上において前記第１反射面と前記光学部との間に設けられた第１光反射面と、
前記第１光反射面に対して平行な第２光反射面と、
前記第２光の少なくとも一部の光路上において前記第１反射面と前記光学部との間に設けられた第３光反射面と、
前記第３光反射面に対して平行な第４光反射面と、
を含み、
前記第１光反射面と前記第３光反射面との間の角度は、９０度である表示装置。
【請求項９】
前記対象画像を補正して処理画像を生成する処理部をさらに備え、
前記処理画像は、前記第１領域に対応する第１処理後領域と、第２領域に対応する第２処理後領域と、を含み、
前記第１画素は、前記第１処理後領域に応じて前記第１光を出射し、
前記第２画素は、前記第２処理後領域に応じて前記第２光を出射し、
前記第２領域の明るさが前記第１領域の明るさと等しいときに、前記第２処理後領域は、前記第１処理後領域よりも明るい請求項１〜８のいずれか１つに記載の表示装置。
【請求項１０】
前記第１反射面は、前記第２反射面に対して平行である請求項１〜９のいずれか１つに記載の表示装置。
【請求項１１】
前記処理部は、前記反射部に対する、使用者の眼球の位置に応じて、前記処理画像中の輝度分布を調整する請求項９記載の表示装置。
【請求項１２】
前記反射部は、複数の反射面を含み、
前記複数の反射面は、前記第１反射面と、前記第２反射面と、第３反射面と、を含み、
前記第２反射面は、前記第３反射面と前記表示部との間に設けられ、
前記第１反射面は、前記第２反射面と前記表示部との間に設けられ、
前記複数の反射面のうちで前記第２反射面に最も近い反射面は、前記第１反射面であり、
前記複数の反射面のうちで前記第３反射面に最も近い反射面は、前記第２反射面である請求項２〜８のいずれか１つに記載の表示装置。
【請求項１３】
前記第１光に対する前記第１反射面の反射率は、前記第１光に対する前記第２反射面の反射率とは異なる請求項１〜１２のいずれか１つに記載の表示装置。
【請求項１４】
前記第１光に対する前記第１反射面の反射率は、前記第２光に対する前記第１反射面の反射率よりも高い請求項１〜１３のいずれか１つに記載の表示装置。
【請求項１５】
前記第１光は、偏光であり、
前記第１反射面の非偏光に対する透過率は、前記第２反射面の前記非偏光に対する透過率と等しい請求項１３記載の表示装置。
【請求項１６】
前記反射部は、前記画像光を透過させ、前記第１反射面を保持する保持部をさらに含み、
前記保持部は、前記第１反射面と前記第２反射面とを結ぶ第１方向と交差する第２方向において互いに離間した第１表面と第２表面とを有し、
前記第１反射面は、前記第１表面と前記第２表面との間に設けられる請求項１、４〜８のいずれか１つに記載の表示装置。
【請求項１７】
前記第１光は、前記保持部によって全反射されない請求項２、３、１６のいずれか１つに記載の表示装置。
【請求項１８】
前記光学部は、前記画像光を前記保持部に入射させる光学素子を含み、
前記第２方向に沿った前記光学素子の幅は、前記保持部の前記第２方向に沿った幅よりも広い請求項２、３、１６、１７のいずれか１つに記載の表示装置。
【請求項１９】
前記保持部は、前記光学部と離間した請求項２、３、１６〜１８のいずれか１つに記載の表示装置。
【請求項２０】
前記第１反射面及び前記第２反射面は、前記第１表面と離れており、前記第２表面と離れている請求項２、３、１６〜１９のいずれか１つに記載の表示装置。
【請求項２１】
前記光学部は、第１部分と、前記第１部分よりも厚い第２部分と、を含む偏心レンズを含み、
前記第１光は、前記第１部分を通過して前記保持部に入射し、前記第２表面において前記保持部から出射され、
前記第２光は、前記第２部分を通過して前記保持部に入射し、前記第２表面において前記保持部から出射され、
前記第１反射面と前記第２表面との間の距離は、前記第１反射面と前記第１表面との間の距離よりも短い請求項２、３、１６〜２０のいずれか１つに記載の表示装置。
【請求項２２】
前記第１光の前記第２反射面に対する前記入射角は、前記第１光の前記第１反射面に対する前記入射角よりも、大きい請求項１〜３、５〜８のいずれか１つに記載の表示装置。
【請求項２３】
前記反射部は、第４反射面をさらに含み、
前記第２反射面で反射された前記第１光の前記別の一部は、前記第４反射面を透過する請求項１〜４、６〜８のいずれか１つに記載の表示装置。
【請求項２４】
前記光学部は、第１端を含み前記第１光が通過する第１部分と、第２端を含み前記第２光が通過する第２部分と、を含むレンズを含み、
前記レンズの光軸に対して垂直な方向に沿った前記第２端と前記第１反射面との間の距離は、前記垂直な方向に沿った前記第２端と前記第２反射面との間の距離よりも長い請求項１〜５、７、８のいずれか１つに記載の表示装置。
【請求項２５】
前記第１反射面は、第１延在方向に沿う第１辺と、前記第１延在方向に対して交差する第２延在方向に沿う第２辺と、を含み、
前記第１延在方向は、前記第１反射面の中心と前記第２反射面の中心とを結ぶ方向に対して傾斜し、
前記第２延在方向は、前記結ぶ方向に対して傾斜する、請求項１〜６、８のいずれか１つに記載の表示装置。
【請求項２６】
前記反射部は、
前記第１光の少なくとも一部の光路上において前記第１反射面と前記光学部との間に設けられた第１光反射面と、
前記第１光反射面に対して平行な第２光反射面と、
前記第２光の少なくとも一部の光路上において前記第１反射面と前記光学部との間に設けられた第３光反射面と、
前記第３光反射面に対して平行な第４光反射面と、
を含み、
前記第１光反射面と前記第３光反射面との間の角度は、９０度である請求項１〜７のいずれか１つに記載の表示装置。
【発明の詳細な説明】
【技術分野】
【０００１】
本発明の実施形態は、表示装置に関する。
【背景技術】
【０００２】
例えば、画像情報を含む画像光を出射する表示部と、画像光を反射する反射部と、を含む表示装置がある。反射部において画像光が使用者の眼へ向けて反射される。これにより、使用者に対して画像が表示される。このような表示装置において、見易い表示を得ることが望まれる。
【先行技術文献】
【特許文献】
【０００３】
【特許文献１】特開２００２−２８７０７７号公報
【発明の概要】
【発明が解決しようとする課題】
【０００４】
本発明の実施形態は、見易い表示装置を提供する。
【課題を解決するための手段】
【０００５】
本発明の一実施形態によれば、第１領域と第２領域とを含む対象画像に基づく画像光を出射する表示部であって、前記第１領域に対応する第１画素と、前記第２領域に対応する第２画素と、を含む、前記表示部と、第１反射面と、前記第１反射面に沿った第２反射面と、を含み前記画像光を反射する反射部と、前記画像光の光路上において前記反射部と前記表示部との間に設けられた光学部と、を備え、前記画像光は、前記第１画素から出射される第１光と、前記第２画素から出射される第２光と、を含み、前記第１光及び前記第２光は、前記第１反射面に入射し、前記第１反射面は、前記第１光の一部を反射し前記第１光の別の一部を透過させ、前記第２反射面は、前記第１反射面を透過した前記別の一部を反射し、前記第１光の前記第１反射面に対する入射角は、前記第２光の前記第１反射面に対する入射角よりも大きく、前記第２領域の明るさが前記第１領域の明るさと等しいときに、前記表示部と前記反射部との間において前記第２光は、前記第１光よりも明るく、前記反射部は、複数の反射面を含み、前記複数の反射面は、前記第１反射面と、前記第２反射面と、第３反射面と、を含み、前記第２反射面は、前記第３反射面と前記表示部との間に設けられ、前記第１反射面は、前記第２反射面と前記表示部との間に設けられ、前記複数の反射面のうちで前記第２反射面に最も近い反射面は、前記第１反射面であり、前記複数の反射面のうちで前記第３反射面に最も近い反射面は、前記第２反射面である表示装置が提供される。
【図面の簡単な説明】
【０００６】
【図１】第１の実施形態に係る表示装置の使用状況を示す模式的平面図である。
【図２】図２（ａ）〜図２（ｄ）は、第１の実施形態に係る表示装置を示す模式図である。
【図３】第１の実施形態に係る表示装置の動作を示す模式図である。
【図４】図４（ａ）及び図４（ｂ）は、第１の実施形態に係る表示装置の動作を示す模式図である。
【図５】第１の実施形態に係る別の表示装置を示す模式図である。
【図６】図６（ａ）及び図６（ｂ）は、第１の実施形態に係る別の表示装置を示す模式図である。
【図７】第１の実施形態に係る別の表示装置を示す模式図である。
【図８】図８（ａ）〜図８（ｃ）は、表示装置を示す模式図である。
【図９】第１の実施形態に係る別の表示装置を示す模式図である。
【図１０】図１０（ａ）及び図１０（ｂ）は、第１の実施形態に係る別の表示装置を示す模式図である。
【図１１】第１の実施形態に係る別の表示装置を示す模式図である。
【図１２】第１の実施形態に係る別の表示装置を示す模式図である。
【図１３】図１３（ａ）及び図１３（ｂ）は、第１の実施形態に係る表示装置を示す模式的斜視図である。
【図１４】第１の実施形態に係る別の表示装置を示す模式図である。
【図１５】第２の実施形態に係る表示装置を示す模式図である。
【図１６】第２の実施形態に係る別の表示装置を示す模式図である。
【図１７】実施形態に係る表示装置を示すブロック図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）  
図１は、第１の実施形態に係る表示装置の使用状況を例示する模式的平面図である。  
図２（ａ）〜図２（ｄ）は、第１の実施形態に係る表示装置を例示する模式図である。  図１に示すように、本実施形態に係る表示装置１００は、例えば使用者２００の頭部に装着可能なＨＭＤ（ヘッドマウントディスプレイ）である。表示装置１００から使用者２００の瞳孔２０１（眼球）へ向けて、表示対象の画像に基づく光が投影される。この光によって、使用者２００は、画像の虚像を見る。
【０００９】
この例では、表示装置は、単眼ＨＭＤである。すなわち、１つの表示装置１００を用いて使用者の２００の片方の眼球に対して画像を表示している。但し、実施形態は、２つの表示装置１００を用いて両方の眼球に対して画像を表示する両眼ＨＭＤであってもよい。
【００１０】
図２（ａ）は、図１のうち表示装置１００を例示する部分を拡大して示す。図１及び図２（ａ）に示すように、表示装置１００は、表示部１０と、反射部２０と、光学部３０（投影部）と、処理部４０（画像処理部）と、を含む。
【００１１】
処理部４０は、例えば、ＩＣ（Integrated Circuit）などの回路である。処理部４０は、外部のメモリなどから表示対象の画像（以下、対象画像と称する）を取得する。後述するように、処理部４０は、対象画像を適宜補正して、処理画像（補正画像）を生成する。
【００１２】
表示部１０は、画像を表示するディスプレイである。表示部１０は、平面上に並べられた複数の画素１０ｅを含む。表示部１０は、処理部４０と有線または無線によって接続されている。これにより、表示部１０は、処理部４０によって生成された処理画像を取得する。複数の画素１０ｅは、取得された処理画像に応じて光を出射する。すなわち、表示部１０（複数の画素１０ｅ）は、表示装置１００に入力された対象画像に基づく画像光Ｌｅを出射する。なお、表示部１０として用いられるディスプレイには、液晶、有機ＥＬまたはＬＣＯＳ（Liquid Crystal On Silicon）などの任意の方式を用いることができる。
【００１３】
光学部３０は、表示部１０から出射された画像光の光路上において、表示部１０と反射部２０との間に設けられる。光学部３０は、表示部１０の画素１０ｅから出射された画像光の焦点距離や光路を変更し、反射部２０に向けて投影する。光学部３０は、少なくとも１つ以上の光学素子を含む。光学素子は、例えば、レンズ、プリズムまたはミラー等である。図２（ａ）には、光学部３０として１つのレンズ３１が表されている。光学部３０が複数の光学素子を含む場合には、レンズ３１は、複数の光学素子のうち、例えば最も反射部２０に近い。但し、レンズ３１の位置は、これに限定されない。光学部３０が複数の光学素子を含む場合、複数の光学素子は、直線上に配置されていなくてもよい。
【００１４】
反射部２０は、複数の反射面２１（反射板）と、保持部２７と、を含む。保持部２７は、複数の反射面２１を保持して、その位置を固定する。例えば、保持部２７は、画像光に対する透過性を有し、複数の反射面２１は、保持部２７の内部に保持される。この例では、保持部２７として直方体状の透明な樹脂が用いられている。なお、光に対して透過性を有する状態（透明）とは、透過率が、当該光に対する反射率よりも高く、当該光に対する吸収率よりも高い状態をいう。画像を表示する機能を失わない範囲内で、保持部２７の形状を自由に変更してもよい。例えば、保持部２７の形状は、直方体状でなくてもよい。保持部２７は、樹脂や反射面２１を保持する枠（フレーム）を含んでもよい。
【００１５】
複数の反射面２１のそれぞれは、画像光の一部を瞳孔２０１の方向へ反射し、画像光の別の一部を透過させる。これにより、画像光の少なくとも一部が、瞳孔２０１に投影される。使用者２００の瞳孔２０１から見たときに、投影された画像光は、虚像として像２１０（図１を参照）を形成する。
【００１６】
この例では、反射面２１は、平面状である。反射面２１は、曲面であり屈折力を有していてもよい。反射面２１には、例えば、アクリル等の部材に蒸着された金属（アルミニウム等）を用いることができる。反射面２１には、誘電体多層膜を用いてもよい。誘電体多層膜は、誘電体（例えばケイ素酸化物やチタン酸化物など）を含む薄膜が積層された膜である。反射面２１の材料や積層構造によって、反射特性が適宜調整される。
【００１７】
複数の反射面２１は、例えば、第１〜第４反射面２１ａ〜２１ｄを含む。画像光の光路上において、第４反射面２１ｄと表示部１０との間に第３反射面２１ｃが設けられ、第３反射面２１ｃと表示部１０との間に第２反射面２１ｂが設けられ、第２反射面２１ｂと表示部１０との間に第１反射面２１ａが設けられる。
【００１８】
複数の反射面２１は、第１方向Ｄ１に沿って並んで設けられる。第１方向Ｄ１は、例えば、第１反射面２１ａの中心と、第２反射面２１ｂの中心と、を結ぶ方向である。図２（ａ）の例では、第１方向Ｄ１は、画像光が反射部２０に入射する方向であり、レンズ３１の光軸３１ｘに対して平行である。光軸３１ｘは、例えば、第１反射面２１ａの中心と交わる。例えば、使用者２００の視線方向（正面方向）は、第１方向Ｄ１に対して垂直な第２方向Ｄ２である。
【００１９】
複数の反射面２１のそれぞれは、レンズ３１の光軸３１ｘ及び第１方向Ｄ１に対して傾斜している。反射面２１と第１方向Ｄ１との間の角度θａは、３０度以上４５度以下であり、例えば４５度である。
【００２０】
複数の反射面２１同士は、例えば、互いに平行である。但し、後述するように、複数の反射面２１は、互いに沿うように（略平行に）設けられていればよく、隣接する反射面２１同士の間の角度が例えば２度以下の範囲内で、互いに傾斜していてもよい。なお、図２（ａ）の例では、第１反射面２１ａは、第２反射面２１ｂに対して平行である。
【００２１】
第１反射面２１ａに入射した画像光の一部は、瞳孔２０１の方向へ反射される。第１反射面２１ａによって反射されずに透過した画像光の一部は、第２反射面２１ｂに入射し、瞳孔２０１の方向へ反射される。さらに、第２反射面２１ｂによって反射されずに透過した画像光の一部は、第３反射面２１ｃに入射し、瞳孔２０１の方向へ反射される。このように、反射と透過が繰り返される。これにより、画像光は、複数の反射面２１から使用者２００の瞳孔２０１に投影される。
【００２２】
例えば、図２（ａ）に表した位置Ａに瞳孔２０１があるときには、第１反射面２１ａによって反射された画像光は、瞳孔２０１に到達し、第４反射面２１ｄによって反射された画像光は、瞳孔２０１に到達しない。一方、瞳孔２０１が位置Ｂにあるときには、第１反射面２１ａによって反射された画像光は、瞳孔２０１に到達せず、第４反射面２１ｄによって反射された画像光は、瞳孔２０１に到達する。このように、各反射面２１によって反射された画像光の全ては、同時に瞳孔２０１に到達しなくてもよい。瞳孔２０１の位置に対応する反射面２１から投影された画像光のみが、瞳孔２０１に到達する。これにより、例えば、瞳孔２０１の位置が位置Ａから位置Ｂに変化しても、使用者２００は、対象画像の像を見ることができる。
【００２３】
反射面２１が１枚のみの場合には、像を見ることができる瞳孔２０１の位置は、狭い範囲に限られる。これに対して、実施形態においては、上記のように複数の反射面２１を設ける。これにより、瞳孔２０１に応じて瞳孔２０１に画像光を投影する反射面が入れ替わる。以上により、使用者２００が映像を見ることができる瞳孔２０１の位置の範囲（アイレンジＥＲ）が拡大される。なお、既に述べたとおり、第１方向Ｄ１と反射面２１との間の角度θａは、例えば４５度である。第１方向Ｄ１と反射面２１との間の角度θａを３０度としてもよい。これにより、少ない数の反射面２１によって、広い範囲に画像光が投影されるようにしてもよい。
【００２４】
瞳孔２０１の位置によっては、２つの反射面２１から同時に画像光が瞳孔２０１に投影されることがある。このとき、使用者２００の観察する像は、各反射面２１によって形成される虚像同士が重なった像である。この場合、虚像の位置（または形状）が反射面２１ごとに異なると、各反射面２１によって形成される虚像が、互いにずれる。このため、２つの画像が同時に観察されてしまうことがある。
【００２５】
瞳孔２０１の位置が変化した際には、瞳孔２０１に画像光を投影する反射面２１が切り替わることがある。この場合、虚像の位置（または形状）が反射面２１ごとに異なると、反射面が切り替わるときに、虚像の位置が急激に変化し、画像が不連続になってしまうことがある。
【００２６】
このため、各反射面２１で反射された画像光によって形成された虚像の表示位置（または形状）は、互いに一致していることが望ましい。そこで、表示部１０の１つの画素から出射された光を光学部３０によって屈折させて平行光とする。画像光が平行光となった場合には、使用者から見て虚像の位置は、例えば無限遠となる。これにより、例えば、各反射面２１によって形成される虚像の表示位置及び形状を、互いに一致させることができる。これについて、図３を参照して説明する。
【００２７】
図３は、第１の実施形態に係る表示装置の動作を例示する模式図である。  
例えば、図３に表したように複数の画素１０ｅのうちの１つは、光束Ｌｅ１を出射する。光学部３０（レンズ３１）は、光束Ｌｅ１に含まれる複数の光線を互いに平行とする。
【００２８】
図３では、第１方向Ｄ１が使用者の視線方向Ｄｅに対して垂直であり、反射面２１同士が互いに平行である。この場合、瞳孔２０１の位置が第１方向Ｄ１に沿って変化しても、瞳孔２０１に投影される画像光の瞳孔２０１に対する進行方向は、変化しない。このため、第１方向Ｄ１に沿った虚像２１０の位置の変化Ｖ１は、第１方向Ｄ１に沿った瞳孔２０１の位置の変化Ｖ２と実質的に等しい。平行光の場合には、虚像の位置は、使用者から見て無限遠の位置であるため、瞳孔２０１の位置が第１方向Ｄ１に沿って変化しても、視線方向において虚像の位置は実質的に変化しない。このため、瞳孔２０１の位置の変化に伴う画像のずれは、ほぼ認識されないようになる。
【００２９】
以上説明したように、第１方向Ｄ１において並ぶ複数の反射面２１に対して、横から画像光を投影する。すなわち、第１方向Ｄ１に沿った光軸を有する光学部３０から、複数の反射面２１に画像光を投影する。これにより、瞳孔２０１の位置が変化したときに、瞳孔２０１に画像光を投影する反射面が切り替わる。したがって、アイレンジを広くすることができる。実施形態においては、反射面２１の数は、２以上である。但し、反射面２１の数を３以上とすることが好適である。これにより、さらにアイレンジを広くすることが可能である。
【００３０】
一方、フレネルレンズの表面のような形状を有する反射面を用いる参考例の表示装置も提案されている。この反射面によって、画像光を瞳孔へ向けて反射させることによって、使用者は虚像を見ることができる。しかしながら、このような表示装置では、画角の広い映像を得るためには、例えば、反射面の拡大に伴って光学部が大きくされる。このため、画角を拡大すると表示装置が大型化してしまう。これに対して、実施形態においては、複数の反射面２１の横から画像光が投影されるため、画角の拡大に伴う光学部の大型化を抑制することができる。表示装置を大型化せずに、画角の広い見易い画像を得ることができる。
【００３１】
保持部などの光透過性を有する部材における全反射によって、画像光を瞳孔に導く参考例も考えられる。しかしながら、この場合には、画像光の光路が複雑になりやすい。このため、想定した光路とは異なる光路を進む光（迷光）が生じやすい。この参考例では、反射面などの光学素子の形状や配置に関して、高い精度が求められる。迷光が生じると、使用者が観察する像の画質が劣化することがある。これに対して、実施形態に係る表示装置１００においては、表示部１０から出射された画像光の一部は、保持部２７において全反射されずに、瞳孔２０１に到達することができる。迷光の発生を抑制することができ、画質の劣化を抑制することができる。
【００３２】
次に図２（ａ）〜図２（ｄ）を再び参照して表示装置１００について、さらに説明する。保持部２７は、第２方向Ｄ２において互いに離間した第１表面２７ａと第２表面２７ｂとを有する。複数の反射面２１は、第１表面２７ａと第２表面２７ｂとの間に配置されている。第２表面２７ｂは、保持部２７の使用者２００に面する表面である。
【００３３】
図２（ｂ）は、対象画像Ｍ１を例示する模式図であり、図２（ｃ）は、処理画像Ｍ２を例示する模式図であり、図２（ｄ）は、表示部１０を例示する模式図である。  
表示部１０は、第１画素１１と第２画素１２とを含む。例えば、第１画素１１は表示部１０の端部Ｅ１に設けられ、第２画素１２は表示部１０の端部Ｅ２に設けられる。第２端部Ｅ２は、第１端部Ｅ１と第２方向Ｄ２において離間している。
【００３４】
処理部４０は、対象画像Ｍ１を補正して処理画像Ｍ２を生成する。  
図２（ｂ）に示すように、対象画像Ｍ１は、例えば、第１領域Ｒ１（画素）と、第２領域Ｒ２（画素）と、を含む。  
図２（ｃ）に示すように、処理画像Ｍ２は、第１領域Ｒ１に対応する第１処理後領域Ｒａ１（画素）と、第２領域Ｒ２に対応する第２処理後領域Ｒａ２（画素）と、を含む。第１処理後領域Ｒａ１は、補正処理によって、第１領域Ｒ１の画素値が変換された領域であり、第２処理後領域Ｒａ２は、補正処理によって第２領域Ｒ２の画素値が変換された領域である。
【００３５】
第１画素１１は、第１領域Ｒ１及び第１処理後領域Ｒａ１に対応する画素である。すなわち、図２（ａ）に表したように第１画素１１は、第１処理後領域Ｒａ１の画素値に応じて第１光束Ｆ１を出射する。第１光束Ｆ１は、第１光Ｌ１を含む。第１光Ｌ１は、第１光束Ｆ１に含まれる光線のうち、第１光束Ｆ１の中心を通る光線である。  
第２画素１２は、第２領域Ｒ２及び第２処理後領域Ｒａ２に対応する画素である。すなわち、第２画素１２は、第２処理後領域Ｒａ２の画素値に応じて第２光束Ｆ２を出射する。第２光束Ｆ２は、第２光Ｌ２を含む。第２光Ｌ２は、第２光束Ｆ２に含まれる光線のうち、第２光束Ｆ２の中心を通る光線である。
【００３６】
第１光Ｌ１及び第２光Ｌ２は、光学部３０を通過して、保持部２７に入射する。そして、第１光Ｌ１及び第２光Ｌ２は、第１反射面２１ａに入射する。
【００３７】
第１反射面２１ａは、第１光Ｌ１の一部（光Ｌ１ａ）を反射する。光Ｌ１ａは、第２表面２７ｂにおいて保持部２７から出射される。
【００３８】
また、第１反射面２１ａは、第１光Ｌ１の別の一部（光Ｌ１ｂ）を透過させる。第２反射面２１ｂは、第１反射面２１ａを透過した光Ｌ１ｂを反射する。光Ｌ１ｂは、第２表面２７ｂにおいて保持部２７から出射される。
【００３９】
同様に、第２光Ｌ２の一部（光Ｌ２ａ）は、第１反射面２１ａによって反射され、第２表面２７ｂにおいて保持部２７から出射される。第２光Ｌ２の別の一部（光Ｌ２ｂ）は、第１反射面２１ａを透過し、第２反射面２１ｂによって反射され、第２表面２７ｂにおいて保持部２７から出射される。
【００４０】
図２（ａ）に示した、入射角θ１ａと入射角θ１ｂとの差は、例えば、０度以上２度以下である。なお、入射角θ１ａは、第１光Ｌ１（または光Ｌ１ａ）の第１反射面２１ａに対する入射角である。入射角θ１ｂは、第１光Ｌ１（または光Ｌ１ｂ）の第２反射面２１ｂに対する入射角である。第２反射面２１ｂは、第１反射面２１ａに沿って設けられており、図２（ａ）の例では、第１反射面２１ａに対して平行なため、入射角θ１ａは、入射角θ１ｂと等しい。
【００４１】
同様に、入射角θ２ａと入射角θ２ｂとの差は、例えば、０度以上２度以下であり、図２（ａ）の例では０度である。なお、入射角θ２ａは、第２光Ｌ２（または光Ｌ２ａ）の第１反射面２１ａに対する入射角である。入射角θ２ｂは、第２光Ｌ２（または光Ｌ２ｂ）の第２反射面２１ｂに対する入射角である。
【００４２】
第１反射面２１ａにおいて、入射角θ１ａは、入射角θ２ａよりも大きい。入射角θ１ａと入射角θ２ａとの差は、例えば、５度以上２０度以下である。同様に、第２反射面２１ｂにおいて、入射角θ１ｂは、入射角θ２ｂよりも大きい。
【００４３】
例えば、瞳孔２０１が図２（ａ）に示した位置Ａにある場合には、光Ｌ１ａは、瞳孔２０１に到達し、光Ｌ２ａは、瞳孔２０１に到達しない。また、例えば、瞳孔２０１が位置Ａにある場合には、光Ｌ１ｂは、瞳孔２０１に到達せず、光Ｌ２ｂは、瞳孔２０１に到達する。
【００４４】
すなわち、この例では、第１画素１１の虚像の表示には、第１反射面２１ａが用いられ、第２画素１２の虚像の表示には、第２反射面２１ｂが用いられている。  
表示装置１００においては、表示部１０の第１端部Ｅ１側の画素の表示には、複数の反射面２１のうち光学部３０に近い反射面２１が用いられる。そして、表示部１０の第２端部Ｅ２側の画素の表示には、複数の反射面２１のうち光学部３０から遠い反射面２１が用いられる。表示に用いられる反射面２１は、瞳孔２０１の位置によって変化する。
【００４５】
光が瞳孔２０１に到達するまでに反射面２１を透過する回数は、表示部１０の画素によって異なる。例えば、瞳孔２０１が位置Ａにあるときには、瞳孔２０１に到達するまでに第１光Ｌ１が反射面２１を透過する回数は、０回である。一方、瞳孔２０１に到達するまでに第２光Ｌ２が反射面２１を透過する回数は、１回である。第１光Ｌ１が瞳孔２０１に到達するまでに反射面２１を透過する回数は、瞳孔２０１の位置によって、例えば０〜２回となる。第２光Ｌ２が瞳孔２０１に到達するまでに反射面２１を透過する回数は、瞳孔２０１の位置によって、例えば、１〜３回となる。
【００４６】
反射及び透過によって、画像光の光量が変化するため、画像に輝度のむらが生じることがある。光学部３０から遠い反射面２１によって反射される光ほど、瞳孔２０１に到達するまでに反射面２１を透過する回数多いため、輝度が低下する。すなわち、虚像の左右方向において輝度のむらが生じることがある。図２（ａ）の例では、光学部３０に近い右側の像の輝度が高くなり、光学部３０から遠い左側の像の輝度が低くなる場合がある。
【００４７】
これに対して、表示装置１００では、処理部４０によって画像処理が行われる。すなわち、表示装置１００に入力された対象画像Ｍ１を補正して、処理画像Ｍ２を生成する。そして、表示部１０は、補正された処理画像Ｍ２に応じて画像光を出射する。この補正においては、反射部２０で生じる輝度勾配とは逆の輝度勾配が、入力された対象画像Ｍ１に対して設定される。これにより、反射部２０で生じる輝度勾配を抑制（例えば相殺）する。
【００４８】
例えば、対象画像Ｍ１中の輝度分布が一様な場合を考える。「輝度分布が一様」とは、画像を表す複数の画素に関して、例えば、各画素の画素値が互いに等しい状態である。画素値によって画素の輝度が表される。対象画像Ｍ１中の輝度分布が一様な場合には、対象画像Ｍ１中において、第１領域Ｒ１の明るさ（輝度値）と第２領域Ｒ２の明るさ（輝度値）とが等しい。このとき、処理部４０によって生成された処理画像Ｍ２においては、第２処理後領域Ｒａ２（第２画素１２に対応する画素）の輝度値は、第１処理後領域Ｒａ１（第１画素１１に対応する画素）の輝度値よりも高い。換言すると、第２処理後領域Ｒａ２は、第１処理後領域Ｒａ１よりも明るい。このため、表示部１０と反射部２０との間においては、第２画素１２から出射された第２光Ｌ２は、第１画素１１から出射された第１光Ｌ１よりも明るい。以上により、輝度のむらを抑制し、見やすい画像を得ることができる。
【００４９】
ところで、反射面２１の反射率は、光の入射方向に依存することがある。この場合には、入射角が大きいほど、反射率が高い方が望ましい。反射面２１に対する入射角が大きい第１光Ｌ１は、光学部３０に近い反射面２１によって瞳孔２０１に投影される。このため、例えば、第１光Ｌ１は、光学部３０から遠い反射面２１まで透過しなくてもよい。一方、反射面２１に対する入射角が小さい第２光Ｌ２は、光学部３０から遠い反射面２１によって瞳孔２０１に投影される。このため、例えば、第２光Ｌ２は、光学部３０から遠い反射面２１によって反射されることが望ましい。したがって、例えば、第１光Ｌ１に対する第１反射面２１ａの反射率は、第２光Ｌ２に対する第１反射面２１ａの反射率よりも高くされる。
【００５０】
図４（ａ）及び図４（ｂ）は、第１の実施形態に係る表示装置の動作を例示する模式図である。  
前述した通り、瞳孔２０１の位置が変化すると、瞳孔２０１に画像光を投影する反射面２１も切り替わる。このため、瞳孔２０１の位置が変化すると、使用者が見る虚像において、反射部２０に起因する輝度勾配に変化が生じることがある。そこで、処理部４０は、瞳孔２０１の位置に応じて対象画像を補正し、処理画像中の輝度分布を調整してもよい。例えば、表示装置１００には、瞳孔２０１の位置を測定するセンサが設けられていてもよい。このセンサには、例えば、赤外線センサ、可視カメラなど任意のセンサを用いることができる。センサから得られる画像などの情報に基づいて、瞳孔の位置を計測（推定）する。計測された値は、処理部４０に入力される。使用者が直接的または間接的に処理部４０に値を入力してもよい。この値は、例えば、瞳孔の大きさや位置に応じた値である。処理部４０は、入力された値に基づいて、補正処理を行う。
【００５１】
例えば、瞳孔２０１に入射する光の積分値が、光の進行方向に依存しないように補正が行われる。図４（ａ）は、瞳孔２０１が位置Ｃにある状態ＳＴ１を例示し、図４（ｂ）は、瞳孔２０１が位置Ｄにある状態ＳＴ２を例示する。
【００５２】
図４（ａ）のように、状態ＳＴ１において、画像光は、瞳孔２０１への入射方向が方向ＤＬ１である光Ｌｐ１と、瞳孔２０１への入射方向が方向ＤＬ２である光Ｌｑ１と、瞳孔２０１への入射方向が方向ＤＬ３である光Ｌｒ１と、を含む。  
同様に、図４（ｂ）のように、状態ＳＴ２において、画像光は、瞳孔２０１への入射方向が方向ＤＬ１である光Ｌｐ２と、瞳孔２０１への入射方向が方向ＤＬ２である光Ｌｑ２と、瞳孔２０１への入射方向が方向ＤＬ３である光Ｌｒ２と、を含む。
【００５３】
例えば、処理部４０は、光Ｌｐ１の積分値と、光Ｌｐ２の積分値とが等しくなるように画像処理を行う。つまり、状態ＳＴ１において方向ＤＬ１に進行して瞳孔２０１に入射する光束と、状態ＳＴ２において方向ＤＬ１に進行して瞳孔２０１に入射する光束とが等しくなるように、画像処理が行われる。
【００５４】
同様に、状態ＳＴ１において方向ＤＬ２に進行して瞳孔２０１に入射する光束と、状態ＳＴ２において方向ＤＬ２に進行して瞳孔２０１に入射する光束とが等しくなるように、画像処理が行われる。また、状態ＳＴ１において方向ＤＬ３に進行して瞳孔２０１に入射する光束と、状態ＳＴ２において方向ＤＬ３に進行して瞳孔２０１に入射する光束とが等しくなるように、画像処理が行われる。
【００５５】
これにより、例えば、瞳孔２０１の移動に伴う、虚像における輝度勾配を抑制することができる。積分に用いられる瞳孔径には、予め定められた固定値を用いてもよいし、外光の輝度から推測された値を用いてもよい。
【００５６】
図５、図６（ａ）及び図６（ｂ）は、第１の実施形態に係る別の表示装置を例示する模式図である。  
図５に示した表示装置１０１においては、複数の反射面２１の配置において、図２（ａ）に関して説明した表示装置１００と異なる。これ以外については、表示装置１０１は、表示装置１００と同様である。
【００５７】
表示装置１０１では、隣り合う反射面の間の距離は、表示部１０（又は光学部３０）から光学的に離れるほど長い。なお、反射面の間の距離は、反射面に垂直な方向に沿った距離、または、反射面の中心同士の距離である。
【００５８】
例えば、第２反射面２１ｂの中心と第３反射面２１ｃの中心との間の距離Ｄｓ２は、第１反射面２１ａの中心と第２反射面２１ｂの中心との間の距離Ｄｓ１よりも長い。
【００５９】
すなわち、複数の反射面２１のうちで第２反射面２１ｂに最も近い反射面は、第１反射面２１ａであり、複数の反射面２１のうちで第３反射面２１ｃに最も近い反射面は、第２反射面２１ｂである。これにより、使用者が見る虚像中の輝度のむらをさらに抑制することができる。これについて、図６（ａ）及び図６（ｂ）を参照して説明する。
【００６０】
図６（ａ）及び図６（ｂ）に示した表示装置１０１ｂでは、複数の反射面２１は、第１方向Ｄ１において等間隔で並んでいる。これ以外は、表示装置１０１ｂは、図５の表示装置１０１と同様である。図６（ａ）では、第１画素１１から出射された光束Ｆ１の光路を示す。図６（ｂ）では、第２画素１２から出射された光束Ｆ２の光路を示す。
【００６１】
図６（ａ）に表したように、光束Ｆ１は、第１反射面２１ａで反射される光束Ｆ１ａと、第２反射面２１ｂで反射される光束Ｆ１ｂと、第３反射面２１ｃで反射される光束Ｆ１ｃと、を含む。既に述べたとおり、第１画素１１から出射された画像光では、反射面２１に対する入射角が大きい。この場合、使用者の瞳孔２０１には、光学部３０に近い反射面２１で反射された光が到達する。例えば、使用者の瞳孔２０１には、光束Ｆ１ａまたは光束Ｆ２ａが投影される。瞳孔２０１の位置が変化すると、例えば、光束Ｆ１ａによる像が見える状態と、光束Ｆ１ｂによる像が見える状態とが切り替わることがある。瞳孔２０１の位置によっては、光束Ｆ１ａ及び光束Ｆ１ｂが同時に瞳孔２０１に投影されることもある。図６（ａ）のように、光束Ｆ１ａと光束Ｆ１ｂとの間に隙間がある場合、隙間において、輝度の低い領域が生じる。このため、虚像中に輝度のむらが生じることがある。そこで、図５の例のように、第１反射面２１ａと第２反射面２１ｂとの間の距離を短くする。
【００６２】
図６（ｂ）に表したように、光束Ｆ２は、第１反射面２１ａで反射される光束Ｆ２ａと、第２反射面２１ｂで反射される光束Ｆ２ｂと、第３反射面２１ｃで反射される光束Ｆ２ｃと、を含む。既に述べたとおり、第２画素１２から出射された画像光では、反射面２１に対する入射角が小さい。この場合、使用者の瞳孔２０１には、光学部３０から遠い反射面２１で反射された光が到達する。例えば、使用者の瞳孔２０１には、光束Ｆ２ｂまたは光束Ｆ２ｃが投影される。図６（ｂ）のように、光束Ｆ２ｂと光束Ｆ２ｃとが重なった領域がある場合、輝度の高い領域が生じる。このため、虚像中に輝度のむらが生じることがある。そこで、図５の例のように、第２反射面２１ｂと第３反射面２１ｃとの間の距離を長くする。
【００６３】
このように、光学部３０に近い反射面２１同士の距離を短くし、光学部３０から遠い反射面２１同士の距離を長くする。これにより、虚像の輝度を均等にし易くすることができる。
【００６４】
図７は、第１の実施形態に係る別の表示装置を例示する模式図である。  
図７に表した表示装置１０２は、反射部２０の保持部２７において、図２（ａ）において説明した表示装置１００と異なる。これ以外は、表示装置１０２は、表示装置１００と同様である。  
表示装置１０２においては、保持部２７に画像光を入射させるレンズ３１の第２方向Ｄ２に沿った幅Ｗ２（長さ）は、保持部２７の第２方向Ｄ２に沿った幅Ｗ１よりも広い。
【００６５】
保持部２７の幅が広い場合には、保持部２７の一部（外側）を入射した光が通過しないことがある。この場合、図７のように保持部２７の幅Ｗ１を狭くしてもよい。これにより、表示装置を軽量化することができる。
【００６６】
保持部２７は、光学部３０と離間している。すなわち、保持部２７と光学部３０との間に空隙Ｇ１が設けられている。反射面２１は、例えば、使用者の眼前に位置する。一方、光学部３０は、使用者の視界に入りにくいように、使用者の眼から離れた位置に配置される。反射面２１と光学部３０との間に保持部２７を設けないことによって、表示装置を軽量化することができる。但し、実施形態においては、光学部３０と反射部２０（反射面２１）との間に透明な部材が配置されていてもよい。
【００６７】
さらに、保持部２７の第３表面２７ｃは、屈折力を有していてもよい。第３表面２７ｃは、第１反射面２１ａと光学部３０（レンズ３１）との間に設けられている。第３表面２７ｃは、保持部２７の表面のうち、光学部３０から画像光が保持部２７に入射する面である。これにより、光学部３０に用いられる光学素子（レンズ等）の数を減らすことができる。したがって、表示装置を軽量化することができる。
【００６８】
図８（ａ）〜図８（ｃ）は、表示装置を例示する模式図である。  
図８（ａ）に表したように、実施形態においては、複数の反射面２１のそれぞれは、保持部２７の第１表面２７ａと交わらず、第２表面２７ｂと交わらない。例えば、反射面２１は、第２表面２７ｂから距離Ｌｎ以上離れている。また、反射面２１は、第１表面２７ａから距離Ｌｎ以上離れている。このように、反射面２１と保持部２７の表面との間にスペースが設けられる。
【００６９】
図８（ｂ）は、第２表面２７ｂと反射面２１とが交差している（又は接している）参考例を表す。例えば、表示部１０から出射された画像光のうちの光Ｌｓが保持部２７に入射する。光Ｌｓは、図８（ｂ）に示すように、第２表面２７ｂによって全反射されることがある。このとき、第２表面２７ｂと反射面２１とが交差していると、全反射された光Ｌｓは、反射面２１に入射する。これにより、迷光（例えば光Ｌｓａ）が生じる。この迷光は、正しい虚像とは異なる位置に二重像を形成する可能性がある。このため、表示装置においては、全反射が発生しないことが望ましい。例えば、第１表面２７ａ及び第２表面２７ｂにコーティングなどの加工を施して、全反射を抑制するようにしてもよい。
【００７０】
全反射が発生したとしても、全反射した光が反射面２１に入射しないようにすることが望ましい。これにより、迷光が使用者の瞳孔へ向かわないようにする。図８（ｃ）に示すように、反射面２１が第２表面２７ｂから離れている場合には、第２表面２７ｂによって全反射された光Ｌｓは、反射面２１に入射しにくい。このため、正しい虚像を得ることができる。
【００７１】
図８（ａ）に示した距離Ｌｎの例について説明する。端部Ｅ２１と第３表面２７ｃとの間の距離（第１方向Ｄ１に沿った距離）をＬとする。なお、端部Ｅ２１は、複数の反射面２１のうち光学部３０から最も遠い位置である。
【００７２】
光Ｌ１１は、第１画素１１から出射され、保持部２７の光学部３０側の端で全反射された光である。全反射された光Ｌ１１の進行方向と第２表面２７ｂとの間の角度をθ１とする。  
光Ｌ１２は、第２画素１２から出射され、保持部２７の光学部３０側の端で全反射された光である。全反射された光Ｌ１２の進行方向と第２表面２７ｂとの間の角度をθ２とする。
【００７３】
例えば、光学部３０から最も遠い反射面２１と第２表面２７ｂとの間の距離は、Ｌ・ｔａｎ（θ２）以下である。この場合には、光Ｌ１２は、反射面２１（第４反射面２１ｄ）で反射されて瞳孔２０１の方向へ向かうことができる。光学部３０から最も遠い反射面２１と第２表面２７ｂとの間の距離は、Ｌｎ＝Ｌ・ｔａｎ（−θ１）以上である。これにより、光Ｌ１１は、反射面２１に入射しない。したがって、保持部２７の表面で全反射が発生しても、迷光が瞳孔に向かうことを抑制できる。
【００７４】
図９は、第１の実施形態に係る別の表示装置を例示する模式図である。  
図９に表した表示装置１０３では、光学部３０は、光学素子３２を含む。光学素子３２は、例えば偏心レンズである。第２表面２７ｂと第１反射面２１ａとの間の距離Ｄｓ３は、第１表面２７ａと第１反射面２１ａとの間の距離Ｄｓ４よりも短い。これ以外については、表示装置１０３は、前述した表示装置１００と同様である。
【００７５】
光学素子３２の光軸は、例えば、第１方向Ｄ１と平行である。光学素子３２は、第１部分３２ａと第２部分３２ｂとを含む。第２部分３２ｂの第１方向Ｄ１に沿った厚さ（長さ）は、第１部分３２ａの第１方向Ｄ１に沿った厚さよりも厚い。
【００７６】
第１画素１１から出射された第１光Ｌ１は、第１部分３２ａを通過して保持部２７に入射し、第２表面２７ｂにおいて保持部２７から出射される。第２画素１２から出射された第２光Ｌ２は、第２部分３２ｂを通過して保持部２７に入射し、第２表面２７ｂにおいて保持部２７から出射される。
【００７７】
このように偏心レンズを用いることによって、図２（ａ）の例に比べて、入射角θ１ａ及び入射角θ２ａは、それぞれ大きくなる。つまり、保持部２７の片側（図中の上方）から画像光が保持部２７に入射する。これにより、距離Ｄｓ３を短くすることができる。保持部２７を薄くすることができる。
【００７８】
図１０（ａ）及び図１０（ｂ）は、第１の実施形態に係る別の表示装置を例示する模式図である。  
図１０（ａ）に表した表示装置１０４においては、第１光Ｌ１の第２反射面２１ｂに対する入射角θ１ｂは、第１光Ｌ１の第１反射面２１ａに対する入射角θ１ａに比べて大きい。例えば、第１光Ｌ１の反射面２１に対する入射角は、光学部３０から遠い反射面２１におけるほど、大きい。これ以外については、表示装置１０４は、前述の表示装置１００と同様である。
【００７９】
表示装置１０４においては、複数の反射面２１は、互いに傾斜している。例えば、第１反射面２１ａと第２反射面２１ｂとの間の角度は、０度よりも大きく２度以下である。但し、実施形態においては、既に述べたとおり、複数の反射面２１同士は、互いに平行であってもよい。図１０（ｂ）は、複数の反射面２１同士が平行な場合を例示している。
【００８０】
光学部３０は、例えば、コリメータレンズである。しかし、光学部３０を出射した画像光は、厳密には平行光とならないことがある。この場合、画像光が遠方で焦点を結ぶと、図１０（ｂ）に表したように、虚像２１０が二重像として現れる場合がある。このような場合に、図１０（ａ）のように、虚像の位置が一致するように反射面２１を傾ける。これにより、反射面２１ごとの虚像のずれが補正される。その結果、虚像の画質が向上する。
【００８１】
図１１は、第１の実施形態に係る別の表示装置を例示する模式図である。  
図１１に表した表示装置１０５においては、反射部２０は、複数の反射面２２をさらに含む。これ以外は、表示装置１０５は、前述の表示装置１００と同様である。
【００８２】
複数の反射面２２は、反射面２１と同様に、保持部２７の内部に設けられ、保持部２７に保持される。複数の反射面２２は、第１方向Ｄ１において並んでいる。複数の反射面２２の第２方向Ｄ２における位置は、複数の反射面２１と第２表面２７ｂとの間である。反射面２２のそれぞれは、使用者から見たときに、２つの反射面２１と重畳する。
【００８３】
複数の反射面２２は、例えば、反射面２２ａ、反射面２２ｂ及び反射面２２ｃを含む。反射面２２ａは、第２方向Ｄ２において第１反射面２１ａの一部及び第２反射面２１ｂの一部と重なる。
【００８４】
例えば、図１１に示すように、画像光（例えば第１光Ｌ１）の一部は、第２反射面２１ｂで反射された後に、反射面２２ｂ（第４反射面）を透過して、使用者の方へ向かう。第２反射面２１ｂで反射された画像光の別の一部は、反射面２２ｂ及び反射面２２ｃでさらに反射され、使用者の方へ向かう。これにより、複数の反射面２２によって画像光が投影される範囲が拡大する。
【００８５】
既に述べたとおり、瞳孔２０１の位置が変化すると、瞳孔２０１に画像光を投影する反射面２１が切り替わる。反射面２１の切り替わりの際に、使用者が見る虚像の輝度が変化することがある。そこで、複数の反射面２２によって画像光が投影される範囲を拡大する。これにより、反射面２１の切り替わり時の輝度の変化を抑制することができる。
【００８６】
図１２は、第１の実施形態に係る別の表示装置を例示する模式図である。  
図１２に表した表示装置１０６は、複数の反射面２１の配置において、表示装置１００と異なる。これ以外は、表示装置１０６は、表示装置１００と同様である。
【００８７】
表示装置１０６においては、複数の反射面２１が並ぶ第１方向Ｄ１は、レンズ３１の光軸３１ｘに対して傾斜している。
【００８８】
レンズ３１は、第１部分３１ａと第２部分３１ｂとを含む。第１画素１１から出射された第１光Ｌ１は、第１部分３１ａを通過する。第２画素１２から出射された第２光Ｌ２は、第２部分３１ｂを通過する。第１部分３１ａは、レンズ３１の第１端Ｅａを有する。第２部分３１ｂは、レンズ３１の第２端Ｅｂを有する。第１端Ｅａ及び第２端Ｅｂは、光軸３１ｘと垂直な方向Ｄｖにおいて離間している。
【００８９】
方向Ｄｖに沿った第２端Ｅｂと第１反射面２１ａとの間の距離Ｄｓ５は、方向Ｄｖに沿った第２端Ｅｂと第２反射面２１ｂとの間の距離Ｄｓ６よりも長い。これにより、例えば、第１反射面２１ａのうち第１光束Ｆ１を反射する領域の面積は、第１反射面２１ａのうち第２光束Ｆ２を反射する領域の面積よりも大きくなる。
【００９０】
第１画素１１から出射された第１光束Ｆ１は、光学部３０に近い反射面２１によって瞳孔２０１に投影される。第１光束Ｆ１は、光学部３０から遠い反射面２１によって反射されなくてもよい。一方、第２画素１２から出射された第２光束Ｆ２は、光学部３０から遠い反射面２１によって瞳孔２０１に投影される。第２光束Ｆ２は、光学部３０に近い反射面２１によって反射された場合、例えば、アイレンジＥＲ外の領域Ｒａ、Ｒｂへ向かう。このため、第２光束Ｆ２は、光学部３０に近い反射面２１によって反射されなくてもよい。
【００９１】
距離Ｄｓ５を距離Ｄｓ６よりも長くすることによって、第１光束Ｆ１は、光学部３０に近い反射面２１によって反射されやすくなる。例えば、図１２中の破線で囲まれた領域Ａ１を通過する光が生じる。これにより、使用者の視点端における輝度が調整される。また、距離Ｄｓ５を距離Ｄｓ６よりも長くすることによって、第２光束Ｆ２は、光学部３０から遠い反射面２１によって反射されやすくなる。これにより、光を効率良く利用することができる。
【００９２】
図１３（ａ）及び図１３（ｂ）は、第１の実施形態に係る表示装置を例示する模式的斜視図である。  
図１３（ａ）及び図１３（ｂ）は、実施形態に係る表示装置に用いられる反射部２０の例として、反射部２０ａ及び反射部２０ｂを例示している。
【００９３】
図１３（ａ）に表した反射部２０ａにおいては、第１反射面２１ａは、延在方向Ｄａ１に沿う辺Ｓａ１と、延在方向Ｄａ２に沿う辺Ｓａ２と、を有する。延在方向Ｄａ１は、複数の反射面２１が並ぶ第１方向Ｄ１に対して垂直な方向である。延在方向Ｄａ２は、第１方向Ｄ１に対して傾斜した方向である。表示部１０から出射され入射方向Ｄｉｎに進行する画像光は、反射面２１によって、反射方向Ｄｒｅｆに向けて反射される。図１３（ａ）の例では、反射方向Ｄｒｅｆは、例えば、保持部２７の第２表面２７ｂに対して垂直な平面上の方向となる。
【００９４】
図１３（ｂ）に表した反射部２０ｂにおいては、第１反射面２１ａは、第１延在方向Ｄｂ１に沿う第１辺Ｓｂ１と、第２延在方向Ｄｂ２に沿う第２辺Ｓｂ２と、を有する。第１延在方向Ｄｂ１及び第２延在方向Ｄｂ２のそれぞれは、第１方向Ｄ１に対して傾斜している。この場合には、反射方向Ｄｒｅｆは、例えば、第２表面２７ｂに対して傾斜した平面上の方向となる。このように、反射面２１を傾斜させることによって、反射方向Ｄｒｅｆを調整することが可能である。これにより、使用者の眼に対する反射部２０の位置を調整することができる。したがって、表示装置１００のデザインや設計の自由度を向上させることができる。
【００９５】
図１４は、第１の実施形態に係る別の表示装置を例示する模式図である。  
図１４に表した表示装置１０７においては、反射部２０は、複数の光反射面２３と、複数の光反射面２４と、さらに含む。これ以外は、表示装置１０７には、前述の表示装置１００と同様の説明を適用できる。
【００９６】
複数の光反射面２３及び複数の光反射面２４は、反射面２１と同様に、保持部２７の内部に設けられ、保持部２７に保持されている。複数の光反射面２３は、第１光Ｌ１の光路上において、光学部３０と複数の反射面２１との間に位置する。複数の光反射面２４は、第２光Ｌ２の光路上において、光学部３０と複数の反射面２１との間に位置する。
【００９７】
複数の光反射面２３は、第２方向Ｄ２において並ぶ。例えば、各光反射面２３は、平面状であり、光反射面２３同士は、平行である。各光反射面２３は、第１方向Ｄ１に対して傾斜し、第２方向Ｄ２に対して傾斜している。各光反射面２３と第１方向Ｄ１との間の角度θｂは、例えば、４３度以上４７度以下であり、望ましくは４５度である。各光反射面２３は、例えば、入射した光の一部を反射し、一部を透過させる。
【００９８】
同様に、複数の光反射面２４は、第２方向Ｄ２において並ぶ。例えば、各光反射面２４は、平面状であり、光反射面２４同士は、平行である。各光反射面２４は、第１方向Ｄ１に対して傾斜し、第２方向Ｄ２に対して傾斜している。各光反射面２４と第１方向Ｄ１との間の角度θｃは、例えば、４３度以上４７度以下であり、望ましくは４５度である。各光反射面２４は、例えば、入射した光の一部を反射し、一部を透過させる。
【００９９】
光反射面２４は、光反射面２３に対して傾斜している。光反射面２３と光反射面２４との間の角度θｄは、例えば８６度以上９４度以下であり、望ましくは９０度である。なお、本願明細書において、２つの反射面の間の角度とは、各反射面に対して平行な平面同士の間の角度である。
【０１００】
この例では、複数の光反射面２３は、光反射面２３ａ（第１光反射面）と、光反射面２３ｂ（第２光反射面）と、を含む。複数の光反射面２４は、光反射面２４ａ（第３光反射面）と、光反射面２４ｂ（第４光反射面）と、を含む。  
光反射面２３ｂと光反射面２４ｂとの間に光反射面２３ａが設けられ、光反射面２３ａと光反射面２４ｂとの間に光反射面２４ａが設けられる。
【０１０１】
第１光Ｌ１の少なくとも一部は、光反射面２３ａによって反射された後、光反射面２３ｂによって反射され、その後、反射面２１に入射する。第２光Ｌ２の少なくとも一部は、光反射面２４ａによって反射された後、光反射面２４ｂによって反射され、その後、反射面２１に入射する。
【０１０２】
このように、複数の光反射面２３及び複数の光反射面２４に入射した光束（画像光）は、第２方向において拡大される。これにより、例えば、反射面２１と光学部３０との間の距離を長くすることができる。例えば、使用者の視界の中央から離れた位置に光学部３０を配置することができ、使用性が向上する。
【０１０３】
（第２の実施形態）  
図１５は、第２の実施形態に係る表示装置を例示する模式図である。  
図１５に表した表示装置１２０は、表示部１０と、光学部３０と、反射部５０と、を含む。表示部１０及び光学部３０については、第１の実施形態と同様の説明を適用することができる。
【０１０４】
表示装置１２０は、画像処理を行う処理部４０を含まなくてもよい。表示部１０は、表示装置１２０に入力された対象画像に応じて、画像光を出射する。例えば、第１画素１１は、第１光Ｌ１を出射する。
【０１０５】
反射部５０は、保持部５７と複数の反射面５１とを含む。保持部５７は、第１の実施形態に関して説明した保持部２７と同様である。
【０１０６】
複数の反射面５１は、画像光に対して互いに異なる反射率を有する。これ以外は、複数の反射面５１は、第１の実施形態に関して説明した複数の反射面２１と同様である。例えば、複数の反射面５１は、第１〜第４反射面５１ａ〜５１ｄを含む。第１〜第４反射面５１ａ〜５１ｄは、それぞれ、図２（ａ）に表した第１〜第４反射面２１ａ〜２１ｄに対応する。入射角が同じ場合、第１光Ｌ１に対する第１反射面５１ａの反射率は、第１光Ｌ１に対する第２反射面５１ｂの反射率よりも低い。
【０１０７】
この例では、第１反射面５１ａの第１光Ｌ１に対する反射率は２０％であり、第２反射面５１ｂの第１光Ｌ１に対する反射率は２５％であり、第３反射面５１ｃの第１光Ｌ１に対する反射率は、３３％であり、第４反射面５１ｄの第１光Ｌ１に対する反射率は５０％である。これにより、各反射面５１において、表示部１０から出射された第１光Ｌ１の２０％ずつが反射される。
【０１０８】
このように、反射面５１の反射特性を反射面毎に変更する。光学部３０に近い反射面５１ほど、反射率を低下させ透過率を上昇させる。これにより、虚像に生じる輝度のむらが抑制される。
【０１０９】
例えば、光学部３０に近い反射面５１の反射率を低下させることで、光学部３０に近い反射面５１から瞳孔２０１に到達する光量が減少する。これにより、光学部３０に近い反射面５１によって反射された光が形成する虚像の輝度が低下する。
【０１１０】
光学部３０に近い反射面５１の透過率を上昇させることで、光学部３０から遠い反射面５１に到達する光量が増大する。これにより、光学部３０から遠い反射面５１によって反射された光が形成する虚像の輝度が上昇する。このようにして、反射及び透過によって生じる輝度のむらが抑制される。
【０１１１】
なお、本実施形態においても、第１の実施形態と同様に、処理部４０を設けてもよい。処理部４０において、虚像の輝度のむらが抑制されるように画像処理を行うことで、さらに輝度のむらを抑制することが可能である。
【０１１２】
本実施形態においても、反射面５１の反射率は、光の入射方向（入射角）に対する依存性を有していてもよい。第１の実施形態と同様に、入射角が大きいほど、反射率が高い方が望ましい。例えば、第１光Ｌ１に対する第１反射面５１ａの反射率は、第２光Ｌ２に対する第１反射面５１ａの反射率よりも高くされる。
【０１１３】
図５の例と同様に、隣り合う反射面５１同士の間の距離を、光学部３０から離れるほど、長くしてもよい。これにより、輝度のむらを抑制し、見易い表示を得ることができる。その他にも、第１の実施形態において説明した具体例の各要素を、本実施形態に係る表示装置１２０に組み合わせることが可能である。
【０１１４】
図１６は、第２の実施形態に係る別の表示装置を例示する模式図である。  
図１６に表した表示装置１２１は、表示部１０ａと、反射部５０と、光学部３０と、を含む。
表示部１０ａは、前述の表示部１０と同様に、画像光を出射する。表示部１０ａが出射する画像光は、偏光である。これ以外は、表示部１０ａは、表示部１０と同様である。
この例では、表示部１０ａから出射される画像光は、第１振動方向に振動する光（以下、Ｓ波と称する）と、第２振動方向に振動する光（以下、Ｐ波と称する）を含む。例えば、第１画素１１から出射される光において、Ｓ波の割合は５０％であり、Ｐ波の割合は５０％である。
【０１１５】
反射部５０に含まれる複数の反射面５１（第１〜第４反射面５１ａ〜５１ｄ）は、表示部１０ａが出射する偏光（画像光）に対して互いに異なる反射率を有する。第１反射面５１ａによって瞳孔へ反射される画像光の光量と、第２反射面５１ｂによって瞳孔へ反射される画像光の光量とが等しくなるように、反射率が決められる。この例では、各反射面５１において、Ｓ波に対する反射率は、Ｐ波に対する反射率と異なる。
【０１１６】
例えば、第１反射面５１ａのＳ波に対する反射率は２０％であり、第１反射面５１ａのＰ波に対する反射率は０％である。例えば、第２反射面５１ｂのＳ波に対する反射率は０％であり、第２反射面５１ｂのＰ波に対する反射率は２０％である。例えば、第３反射面５１ｃのＳ波に対する反射率は４０％であり、第３反射面５１ｃのＰ波に対する反射率は０％である。例えば、第４反射面５１ｄのＳ波に対する反射率は０％であり、第４反射面５１ｄのＰ波に対する反射率は４０％である。
【０１１７】
このように、図１６の例では、Ｐ波のみを反射させる反射面と、Ｓ波のみを反射させる反射面とが交互に配置されている。これにより、各反射面５１において、表示部１０ａから出射された第１光Ｌ１の１０％ずつが反射される。反射面５１の偏光に対する反射特性を反射面毎に変更することで、虚像に生じる輝度のむらを抑制することができる。
【０１１８】
さらに、複数の反射面５１の外光Ｌ０に対する透過率は、例えば、互いに同じとされる。外光Ｌ０は、表示装置１２１の外部から反射部５０に入射する光である。外光Ｌ０は、非偏光（ランダム偏光）であり、例えば自然光である。この例では、第１反射面５１ａの非偏光に対する透過率は、第２反射面５１ｂの非偏光に対する透過率と等しい。これにより、瞳孔の位置が変化したときに、瞳孔に入射する外光Ｌ０の光量の変化を抑制することができる。使用者が反射部５０を介して外界を見易くなる。
【０１１９】
（画像処理と反射面の反射率との関係）
上記の各実施形態において行われる画像処理と、反射面２１の反射率と、の関係について説明する。反射面２１に使用される誘電体多層膜では、光の入射角によって反射率が異なることがある。以下では、この影響についても考慮する。
【０１２０】
この説明では、反射面２１の配置は、図２（ａ）に関する説明と同様とする。光学部３０に近い反射面２１で反射され瞳孔に到達する光（画像光）は、反射面２１に対する入射角が大きい光であるとする。入射角が大きい光は、例えば第１光Ｌ１である。さらに、光学部３０から遠い反射面２１で反射され瞳孔に到達する光は、反射面２１に対する入射角が小さい光であるとする。入射角が小さい光は、例えば第２光Ｌ２である。
【０１２１】
（１．全ての反射面の材料が同じである場合）  
まず、全ての反射面２１の材料が同じである場合について説明する。この場合、複数の反射面２１の反射率は、実質的に、互いに同じである。
【０１２２】
（１−１．入射角が小さい程、反射率が低い場合）  
反射面２１の材料によっては、光の反射面２１に対する入射角が小さい程、反射面２１の反射率が低い場合がある。この場合、反射面６１に対する入射角が大きい光（例えば第１光Ｌ１）の輝度が低くなるように画像処理を行う。既に述べたとおり、第１光Ｌ１などの入射角が大きい光は、複数の反射面２１のうち光学部３０に近い反射面２１から瞳孔２０１に到達する。このため、反射面２１に対する入射角が大きい光のうち瞳孔２０１に到達する光は、透過回数が少ない。したがって、輝度の低下が少ない状態で瞳孔２０１に到達する。透過回数が多くなると、入射角が大きい光は、光学部３０から遠い反射面２１によって反射され、アイレンジ外に向かう。このため、多数回の透過によって、入射角が大きい光の輝度が低下しても、使用者が見る虚像が受ける影響は小さい。以上により、反射面２１に対する入射角が大きい光の輝度（光量）を低下させると、高輝度な画素の輝度が低下し、虚像の輝度勾配が抑制される。
【０１２３】
（１−２．入射角が小さい程、反射率が高い場合）
反射面２１の材料によっては、光の反射面２１に対する入射角が小さい程、反射面２１の反射率が高い場合がある。この場合には、処理部４０における補正処理として、第１画素１１の輝度値を高くする補正、及び第１画素１１の輝度値を低くする補正の２種類が考えられる。または、処理部４０における補正を行わなくてもよい場合も考えられる。
【０１２４】
入射角の減少に対する反射率の増大が小さい場合（第１の場合）には、第１光Ｌ１のうち瞳孔２０１に到達する光の輝度は、第２光Ｌ２のうち瞳孔２０１に到達する光の輝度よりも高い。これは、光が反射面２１を透過する回数の差に起因する。この場合、反射面２１に対する入射角が大きい光（第１光Ｌ１）の輝度が低くなるように画像処理を行う。
【０１２５】
入射角の減少に対する反射率の増大が大きい場合（第２の場合）には、第２光Ｌ２のうち瞳孔２０１に到達する光の輝度が、第１光Ｌ１のうち瞳孔２０１に到達する光の輝度よりも高くなることがある。この場合、反射面２１に対する入射角が大きい光の輝度が高くなるように画像処理を行う。上記の第１の場合と、第２の場合と、の中間の状態では、対象画像に補正を行わなくてもよいこともある。
【０１２６】
（１−３．入射角に反射率が依存しない場合）
光の反射面２１に対する入射角に反射率が依存しない場合、反射面２１を透過する回数が少ない光（すなわち入射角が大きい光）の輝度が低くなるように画像処理を行う。
【０１２７】
（２．反射面ごとに材料が異なる場合）
反射面の材料は、反射面２１ごとに異なっていてもよい。この場合、第２の実施形態の反射面５１のように、反射面２１の反射率は、反射面毎に異なる。この場合には、必要に応じて、画像処理が行われる。
【０１２８】
元の対象画像中の１つの画素Ｐｘ１（図示せず）が補正されて、処理画像中の画素Ｐｘ２（図示せず）が生成されるとする。表示部１０の画素Ｐｘ３（図示せず）が、画素Ｐｘ２に応じて光Ｌαを出射するとする。このとき、光Ｌαの反射面２１に対する入射角をαとし、入射角αに対するｎ枚目の反射面２１の反射率をｆ（ｎ、α）とし、光学部３０から射出される光の輝度をｌとすると、Ｎ枚目の反射面２１が瞳孔２０１に投影する光の輝度Ｌは、  
Ｌ = ｌ・ｆ(Ｎ、α) ・ Π Ｎ ｎ−１ （１−ｆ（ｎ、α））
と表される。なお、ｎ及びＮは、それぞれ１以上の自然数である。
【０１２９】
元の対象画像中の輝度分布が一様である場合、瞳孔２０１に到達する光の輝度Ｌも画素の位置によらないことが望ましい。例として、反射率に入射角依存性がない場合について説明する。複数の反射面２１の反射特性が互いに同じ場合には、Ｎが大きいとＬが大きくなり、Ｎが小さいとＬが小さくなる。また、入射角αが大きいときは、光Ｌαが光学部３０に近い反射面２１で反射して瞳孔２０１に到達するため、相対的にＮは小さい。入射角αが小さいときは、光Ｌαが光学部３０から遠い反射面２１で反射して瞳孔２０１に到達するため、相対的にＮは大きい。つまり、αが大きいと瞳孔２０１に到達する光Ｌαの輝度は大きく、αが小さいと瞳孔２０１に到達する光Ｌαの輝度は小さい傾向がある。
【０１３０】
そこで、例えば、αが小さいほど、対象画像中の画素Ｐｘ１の輝度値に対する、処理画像中の画素Ｐｘ２の輝度値が大きくなるように補正を行う。例えば、αが大きい程、画素Ｐｘ１の輝度値に対する画素Ｐｘ２の輝度値が小さくなるように補正を行う。つまり、αが小さいほどｌが大きくなり、αが大きいほどｌが小さくなるようにする。これにより、輝度のむらを抑制することができる。反射面毎に反射特性が異なる場合にも、同様に輝度Ｌが画素の位置に依らないように、対象画像を補正する。これにより、輝度のむらを抑制することができる。
【０１３１】
図１７は、実施形態に係る表示装置を例示するブロック図である。  
図１７は、実施形態に係る表示装置のシステムの一例を例示している。  
図１７に表したように、処理部４０（回路部）は、例えば、インターフェース４２（取得部）、処理回路（プロセッサ）４３、及びメモリ４４を含む。
【０１３２】
例えば、処理部４０は、インターフェース４２を介して、外部の記憶媒体やネットワークと接続され、入力画像（対象画像）を取得する。外部との接続には、有線及び無線のいずれの方法を用いてもよい。取得部は、例えば、入出力端子などでもよい。
【０１３３】
メモリ４４には、例えば取得した対象画像を処理するプログラム４５が記憶されている。例えばプログラム４５に基づいて対象画像が適宜変換され、これにより、表示部１０において適切な表示が行われる。メモリ４４において、画像情報が保持されていてもよい。プログラム４５は、予めメモリ４４に記憶された状態で提供されてもよいし、ＣＤ−ＲＯＭ等の記憶媒体やネットワークを介して提供され、適宜インストールされてもよい。
【０１３４】
処理部４０は、センサ４６を含んでもよい。センサ４６には、例えば、カメラ、マイク、位置センサ又は加速度センサなどの任意のセンサを用いることができる。例えば、センサ４６は、前述の瞳孔２０１の位置を測定するセンサである。センサ４６から得られる情報に基づいて、表示部１０に表示される画像を適宜変更する。これにより、画像表示装置の利便性や見易さを向上させることができる。例えば、処理回路４３において、センサ４６から得られる情報や画像情報などが、プログラム４５に基づいて処理される。このようにして得られた画像情報が、処理部４０から表示部１０に入力され、表示装置において表示が行われる。
【０１３５】
処理部４０（画像処理装置）の各ブロックの一部、又は全部には、ＬＳＩ（Large Scale Integration）等の集積回路またはＩＣ（Integrated Circuit）チップセットを用いることができる。各ブロックに個別の回路を用いてもよいし、一部又は全部を集積した回路を用いてもよい。各ブロック同士が一体として設けられてもよいし、一部のブロックが別に設けられてもよい。各ブロックのそれぞれにおいて、その一部が別に設けられてもよい。集積化には、ＬＳＩに限らず、専用回路又は汎用プロセッサを用いてもよい。
【０１３６】
以上、実施形態として、表示装置及び画像処理装置について説明した。但し、実施形態は、画像処理装置における処理をコンピュータに実行させるためのプログラムの形態、または、このプログラムを記録したコンピュータ読み取り可能な記録媒体の形態、であってもよい。上記の記録媒体としては、具体的には、ＣＤ-ＲＯＭ（-Ｒ／-ＲＷ）、光磁気ディスク、ＨＤ（ハードディスク）、ＤＶＤ-ＲＯＭ（-Ｒ／-ＲＷ／-ＲＡＭ）、ＦＤ（フレキシブルディスク）、フラッシュメモリ、メモリカードや、メモリスティック及びその他各種ＲＯＭやＲＡＭ等が想定できる。これら記録媒体に上述した実施形態に係る画像処理装置の処理をコンピュータに実行させるための画像処理プログラムを記録して流通させてもよい。これにより、画像処理の実現が容易となる。そして、コンピュータ等の情報処理装置に上記のごとくの記録媒体を装着して情報処理装置により画像処理プログラムを読み出すか、または、情報処理装置が備えている記憶媒体に当該プログラムを記憶させ、必要に応じて読み出す。これにより、実施形態に係る画像処理を実行することができる。
【０１３７】
実施形態によれば、見易い表示装置が提供できる。
【０１３８】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【０１３９】
以上、具体例を参照しつつ、本発明の実施の形態について説明した。しかし、本発明の実施形態は、これらの具体例に限定されるものではない。例えば、表示部、反射部、光学部、処理部、保持部及び反射面などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１４０】
その他、本発明の実施の形態として上述した表示装置を基にして、当業者が適宜設計変更して実施し得る全ての表示装置も、本発明の要旨を包含する限り、本発明の範囲に属する。
【０１４１】
その他、本発明の思想の範疇において、当業者であれば、各種の変更例及び修正例に想到し得るものであり、それら変更例及び修正例についても本発明の範囲に属するものと了解される。
【０１４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４３】
１０、１０ａ…表示部、  １０ｅ…画素、  １１…第１画素、  １２…第２画素、  ２０、２０ａ、２０ｂ…反射部、  ２１…反射面、  ２１ａ〜２１ｄ…第１〜第４反射面、  ２２、２２ａ〜２２ｄ…反射面、  ２３、２３ａ、２３ｂ、２４、２４ａ、２４ｂ…光反射面、  ２７…保持部、  ２７ａ〜２７ｃ…第１〜第３表面、  ３０…光学部、  ３１…レンズ、  ３１ａ…第１部分、  ３１ｂ…第２部分、  ３１ｘ…光軸、  ３２…光学素子、  ３２ａ…第１部分、  ３２ｂ…第２部分、  ４０…処理部、  ４２…インターフェース、  ４３…処理回路、  ４４…メモリ、  ４５…プログラム、  ４６…センサ、  ５０…反射部、  ５１…反射面、  ５１ａ〜５１ｄ…第１〜第４反射面、  ５７…保持部、  θ１…角度、  θ１ａ、θ１ｂ…入射角、  θ２…角度、  θ２ａ、θ２ｂ…入射角、  θａ〜θｄ…角度、  １００〜１０７、１０１ｂ、１２０、１２１…表示装置、  ２００…使用者、  ２０１…瞳孔、  ２１０…像（虚像）、  Ａ、Ｂ、Ｃ、Ｄ…位置、  Ａ１…領域、  Ｄ１…第１方向、  Ｄ２…第２方向、  ＤＬ１〜ＤＬ３…方向、  Ｄａ１、Ｄａ２…延在方向、  Ｄｂ１…第１延在方向、  Ｄｂ２…第２延在方向、  Ｄｅ…視線方向、  Ｄｉｎ…入射方向、  Ｄｒｅｆ…反射方向、  Ｄｓ１〜Ｄｓ６…距離、  Ｄｖ…方向、  Ｅ１、Ｅ２…端部、  Ｅ２…端部、  Ｅ２１…端部、  ＥＲ…アイレンジ、  Ｅａ…第１端、  Ｅｂ…第２端、  Ｆ１…第１光束、  Ｆ１ａ〜Ｆ１ｃ…光束、  Ｆ２…第２光束、  Ｆ２ａ〜Ｆ２ｃ…光束、  Ｇ１…空隙、  Ｌ０…外光、  Ｌ１…第１光、  Ｌ１１、Ｌ１２、Ｌ１ａ、Ｌ１ｂ…光、  Ｌ２…第２光、  Ｌ２ａ、Ｌ２ｂ…光、  Ｌｅ１…光束、  Ｌｅ…画像光、  Ｌｎ…距離、  Ｌｐ１、Ｌｐ２、Ｌｑ１、Ｌｑ２、Ｌｒ１、Ｌｒ２、Ｌｓ、Ｌｓａ…光、  Ｍ１…対象画像、  Ｍ２…処理画像、  Ｒａ、Ｒｂ…領域、  Ｒ１…第１領域、  Ｒ２…第２領域、  Ｓａ１、Ｓａ２…辺、  Ｓｂ１…第１辺、  Ｓｂ２…第２辺、  Ｖ１、Ｖ２…変化、  Ｗ１、Ｗ２…幅
【図１】
0006552338.tif 000002
【図２】
0006552338.tif 000003
【図３】
0006552338.tif 000004
【図４】
0006552338.tif 000005
【図５】
0006552338.tif 000006
【図６】
0006552338.tif 000007
【図７】
0006552338.tif 000008
【図８】
0006552338.tif 000009
【図９】
0006552338.tif 000010
【図１０】
0006552338.tif 000011
【図１１】
0006552338.tif 000012
【図１２】
0006552338.tif 000013
【図１３】
0006552338.tif 000014
【図１４】
0006552338.tif 000015
【図１５】
0006552338.tif 000016
【図１６】
0006552338.tif 000017
【図１７】
0006552338.tif 000018